(57)【要約】【課題】  遊技場における煙草の煙害を防止できる遊技機を提供する。【解決手段】  遊技機の灰皿近傍と遊技機の上部パネルに吸気口を設け、かつリール装置等の回転表示手段の回転動力を利用したファンにより吸気口から煙草の煙を取り込み、筐体内に備えたパイプにより煙を搬送し、筐体背面に設けた通気口から遊技島上方に排気する。【選択図】  図１
2005261541.tif 000002
【特許請求の範囲】
【請求項１】
煙草の煙を吸引し、前記吸引した煙を筐体内に取り込むための煙取り込み手段を少なくとも１以上有することを特徴とする遊技機。
【請求項２】
前面扉上に設けられ、煙草の煙を吸引するための吸気手段と、
前記吸気手段と接続され、前記吸引した煙を筐体内に取り込むための第１の煙取り込み手段と、
前記煙取り込み手段と接続され、前記取り込んだ煙を前記筐体外へ排出する排気手段と、
を有することを特徴とする遊技機。
【請求項３】
前記第１の煙取り込み手段は、回胴リール装置のモータ軸を延長した延長軸に接続され、ステッピングモータの駆動によるリールの回転と連動して回転することを特徴とする請求項１又は２記載の遊技機。
【請求項４】
前記第１の煙取り込み手段は、電源切り替えを行うスイッチ部を有することを特徴とする請求項１から３のいずれか１項に記載の遊技機。
【請求項５】
前記吸気手段は、前記前面扉の中パネルより上方に設けられることを特徴とする請求項２記載の遊技機。
【請求項６】
前記吸気手段は、前記遊技機に備えられた灰皿近傍に設けられることを特徴とする請求項２記載の遊技機。
【請求項７】
前記吸気手段と前記煙取り込み手段とを接続し、前記吸引した煙の搬送路となる第１の接続手段をさらに有し、
該第１の接続手段は、
伸縮自在かつ自由方向に可動することを特徴とする請求項２から６のいずれか１項に記載の遊技機。
【請求項８】
前記煙取り込み手段と前記排気手段とを接続し、前記取り込んだ煙の搬送路となる第２の接続手段をさらに有し、
該第２の接続手段は、
伸縮自在かつ自由方向に可動することを特徴とする請求項２から６のいずれか１項に記載の遊技機。
【請求項９】
前記第１の接続手段は、筐体内の空気を吸気するための筐体内吸気部を有することを特徴とする請求項７記載の遊技機。
【請求項１０】
前記排気手段は、前記筐体の背面に形成され、ヒンジ部によって開閉可動することを特徴とする請求項２記載の遊技機。
【請求項１１】
前記排気手段は、複数の通気穴が形成されたパンチング板を有することを特徴とする請求項２記載の遊技機。
【請求項１２】
前面扉の中パネルより上方に設けられ、上気した煙草の煙を吸引するための上部吸気手段と、
前記上部吸気手段から吸引した煙を取り込むための第２の煙取り込み手段と、
をさらに有することを特徴とする請求項１又は２記載の遊技機。
【請求項１３】
前記第２の煙取り込み手段と前記排気手段とを接続し、前記第２の煙取り込み手段から取り込んだ煙の搬送路となる第３の接続手段をさらに有し、
前記第３の接続手段は、
伸縮自在かつ自由方向に可動することを特徴とする請求項１２記載の遊技機。
【請求項１４】
前記第２の煙取り込み手段は、主電源装置と電気的に接続され、直接電源供給されることを特徴とする請求項１２又は１３記載の遊技機。
【請求項１５】
前記第３の接続手段は、筐体内の空気を排気するための筐体内排気部を有することを特徴とする請求項１２記載の遊技機。
【請求項１６】
少なくとも１以上の、前記煙草の煙を検知するための煙検知手段をさらに有し、
該煙検知手段は、
遊技が行われていない場合に前記煙草の煙を検知し、煙検知信号をサブ制御基板に送信し、
該サブ制御基板は、
前記煙検知信号の受信により、前記リールの回転数を１分間に８０回転を超えるように制御することを特徴とする請求項１から１５のいずれか１項に記載の遊技機。
【発明の詳細な説明】
【技術分野】
【０００１】
本発明は、遊技場における煙草の煙害を防止する遊技機に関する。
【背景技術】
【０００２】
現在、ホール等の遊技施設場において煙草の煙害がクローズアップされている。そのため、遊技場に高性能の空気清浄機を備えたり、遊技島施設に煙草の煙を吸入する機能を持った吸い殻回収装置を備えたりしている。
【０００３】
従来技術例として、各遊技島台と吸い殻回収装置が一体となり、ユニット島台として移送、運搬が可能なため、各ユニット島台を任意の位置にレイアウトしても常に自動運搬による吸い殻回収が可能となる「ユニット島台」がある（例えば、特許文献１参照）。また、受け皿部周面に一体的形成された段部をもってジュース缶等を載置でき、ジュース缶等の底面が灰皿の蓋の代わりになる「遊技島台用灰皿」がある（例えば、特許文献２参照）。
【特許文献１】特開平１０−１７９９０８号公報
【特許文献２】特開平１０−１９２５１１号公報
【発明の開示】
【発明が解決しようとする課題】
【０００４】
しかしながら、上記特許文献１及び２記載の発明のような大がかりな装置を設備するためには、遊技場施設や遊技島施設の改造に膨大な手間とコストがかかるため導入のネックとなっていた。
【０００５】
本発明は、上記事情に鑑みてなされたものであり、遊技機の灰皿近傍と遊技機の上部に吸気口を設け、かつリール装置等の回転表示手段の回転動力を利用したファンにより吸気口から煙草の煙を取り込むことによって、遊技場における煙草の煙害を防止できる遊技機を提供することを目的とする。
【課題を解決するための手段】
【０００６】
かかる目的を達成するために、請求項１記載の発明は、煙草の煙を吸引し、吸引した煙を筐体内に取り込むための煙取り込み手段を少なくとも１以上有することを特徴とする。
【０００７】
請求項２記載の発明は、前面扉上に設けられ、煙草の煙を吸引するための吸気手段と、吸気手段と接続され、吸引した煙を筐体内に取り込むための第１の煙取り込み手段と、煙取り込み手段と接続され、取り込んだ煙を筐体外へ排出する排気手段と、を有することを特徴とする。
【０００８】
請求項３記載の発明は、請求項１又は２記載の発明において、第１の煙取り込み手段は、回胴リール装置のモータ軸を延長した延長軸に接続され、ステッピングモータの駆動によるリールの回転と連動して回転することを特徴とする。
【０００９】
請求項４記載の発明は、請求項１から３のいずれか１項に記載の発明において、第１の煙取り込み手段は、電源切り替えを行うスイッチ部を有することを特徴とする。
【００１０】
請求項５記載の発明は、請求項２記載の発明において、吸気手段は、前面扉の中パネルより上方に設けられることを特徴とする。
【００１１】
請求項６記載の発明は、請求項２記載の発明において、吸気手段は、遊技機に備えられた灰皿近傍に設けられることを特徴とする。
【００１２】
請求項７記載の発明は、請求項２から６のいずれか１項に記載の発明において、吸気手段と煙取り込み手段とを接続し、吸引した煙の搬送路となる第１の接続手段をさらに有し、第１の接続手段は、伸縮自在かつ自由方向に可動することを特徴とする。
【００１３】
請求項８記載の発明は、請求項２から６のいずれか１項に記載の発明において、煙取り込み手段と排気手段とを接続し、取り込んだ煙の搬送路となる第２の接続手段をさらに有し、第２の接続手段は、伸縮自在かつ自由方向に可動することを特徴とする。
【００１４】
請求項９記載の発明は、請求項７記載の発明において、第１の接続手段は、筐体内の空気を吸気するための筐体内吸気部を有することを特徴とする。
【００１５】
請求項１０記載の発明は、請求項２記載の発明において、排気手段は、筐体の背面に形成され、ヒンジ部によって開閉可動することを特徴とする。
【００１６】
請求項１１記載の発明は、請求項２記載の発明において、排気手段は、複数の通気穴が形成されたパンチング板を有することを特徴とする。
【００１７】
請求項１２記載の発明は、請求項１又は２記載の発明において、前面扉の中パネルより上方に設けられ、上気した煙草の煙を吸引するための上部吸気手段と、上部吸気手段から吸引した煙を取り込むための第２の煙取り込み手段と、をさらに有することを特徴とする。
【００１８】
請求項１３記載の発明は、請求項１２記載の発明において、第２の煙取り込み手段と排気手段とを接続し、第２の煙取り込み手段から取り込んだ煙の搬送路となる第３の接続手段をさらに有し、第３の接続手段は、伸縮自在かつ自由方向に可動することを特徴とする。
【００１９】
請求項１４記載の発明は、請求項１２又は１３記載の発明において、第２の煙取り込み手段は、主電源装置と電気的に接続され、直接電源供給されることを特徴とする。
【００２０】
請求項１５記載の発明は、請求項１２記載の発明において、第３の接続手段は、筐体内の空気を排気するための筐体内排気部を有することを特徴とする。
【００２１】
請求項１６記載の発明は、請求項１から１５のいずれか１項に記載の発明において、少なくとも１以上の、煙草の煙を検知する煙検知手段をさらに有し、煙検知手段は、遊技が行われていない場合に煙草の煙を検知し、煙検知信号をサブ制御基板に送信し、サブ制御基板は、煙検知信号の受信により、リールの回転数を１分間に８０回転を超えるように制御することを特徴とする。
【発明の効果】
【００２２】
本発明によれば、第１の効果として、煙草の煙を遊技機筐体内に設けたファンで取り込むことにより、遊技機及びホールの空気清浄を比較的簡易に行えるので、大がかりな設備の空気清浄機を導入した場合に比べ、より効果的な煙害対策と省エネを実現することができる。
【００２３】
また、第２の効果として、遊技機筐体内に設けられた、煙を取り込むためのファンは、回転表示手段の回転動力を利用して回転することにより、煙を吸気するので、筐体内にファンを駆動するための動力装置や電源装置を設ける必要がなく、設備コストを抑えることができる。
【発明を実施するための最良の形態】
【００２４】
以下、本発明を実施するための最良の形態について添付図面を参照して詳細に説明する。
【００２５】
図１は、本発明の一実施形態であるスロットマシンＳＭの外観を示す正面図である。図２は、スロットマシンＳＭの前面扉３を開いた状態であり、スロットマシンＳＭの内部構成を示す正面図である。
【００２６】
図１及び図２に示すように、スロットマシンＳＭは、前面開口を有する箱状のキャビネットボックス２と、この前面開口を覆って開閉可能に取り付けられた前面扉（フロントマスク）３とからなる筐体を有し、この筐体の各部に種々の遊技展開装置を配設して構成される。
【００２７】
前面扉３は、キャビネットボックス２及び前面扉３の互いの左縁部に配設された上下のヒンジ機構（図示せず）により横開き可能に取り付けられ、常には右側縁に設けられた施錠装置４を利用してキャビネットボックス２に閉鎖施錠された状態で保持される。
【００２８】
前面扉３の正面上部の上部パネル（上パネル部）１９には、左右の上部スピーカＳＬ、ＳＲ、演出用ランプ（図示せず）等が取り付けられている。ここで、上部パネルとは、下記中パネル部の上方に設けられ、主として、通常透光性を有したレンズ部材、絵や文字等が描かれた板状部材等で構成されている部分をいう。また、図１に示すように、上部パネル１９には上部吸気口３０が設けられている。
【００２９】
前面扉３の正面中央の中部パネル（中パネル部）２０には、透過窓１０が設備され、その下方にはメダル投入口５、スタートレバー１１、演出用ランプ（図示せず）、及び各回胴リールＲ１、Ｒ２、Ｒ３に対応して設けられた停止ボタン１２、１３、１４を備えている。ここで、中部パネルとは、一般的な回胴遊技機において、遊技者に相対してメインリール上に設けられた透明部を有する板状部材を含む部分をいう。
【００３０】
下部パネル（下パネル部）２１の下方には、下部スピーカＳ、メダル払出口６が設けられているとともに、その下側に前方に突出する受け皿７が設けられており、図２に示すホッパ装置ＨＰから払い出された遊技メダルが、このメダル払出口６を通って受け皿７に受け止められ貯留されるようになっている。また、灰皿２２とその上方に下部吸気口９が設けられている。ここで、下パネル部とは、上記中パネル部の下方に設けられ、主として遊技機の型式名が描かれた板状部材を含む部分をいう。
【００３１】
図２に示すように、前面扉３の内部には、上部パネル１９の裏側にサブ制御基板１００が取り付けられている。このサブ制御基板１００は、遊技機に備えられた演出用ランプ、効果音や音楽等の音、及び演出画像の演出関係の制御を行う基板である。このサブ制御基板１００には、演出用スピーカＳＲ、ＳＬと、図示しない各演出用ランプとがそれぞれ所定の配線ケーブル（図示せず）を介して配線接続されており、サブ制御基板１００に設けられている電気回路が、主制御基板（図示せず）からの指示に従ってこれら演出用スピーカＳＲ、ＳＬ、Ｓと、図示しない各演出用ランプとを駆動することにより、遊技者の視覚や聴覚に訴える演出を行うようになっている。
【００３２】
筐体の基本構成部材であるキャビネットボックス２は、装置重量の軽量化や部材コストの低廉性、部材加工の容易性等の見地から、一般にパーチクルボードや積層合板等の木材パネルが用いられており、定型板材を所定形状に切断及びルータ加工し、メタルブッシュ（鬼目ナット）の打ち込み等を行って天板、左右の側板、底板等を形成した上、箱状に作製されている。
【００３３】
また、キャビネットボックス２の内部には、硬質プラスチックの収納ケース内に収納されたユニット構造である、主制御基板（主基板）がスロットマシンＳＭの動作を統括するために設けられている（図示せず）。この主制御基板を中心として、サブ制御基板、中央表示基板、電源装置基板、回胴装置基板、外部集中端子基板がそれぞれ所定のケーブルを介して配線接続されている（それぞれ図示せず）。なお、本実施例において、主制御基板は筐体内の任意の場所に設置可能とする。
【００３４】
この主制御基板には、半導体メモリＲＯＭ及びマイクロプロセッサＭＰＵ（ともに図示せず）が搭載されており、マイクロプロセッサＭＰＵが、半導体メモリＲＯＭに予め記憶されているシステムプログラムとスロットマシンゲーム用のプログラムを実行し、上記各基板を制御することによって、スロットマシンＳＭの動作状況とゲームの進行を統括管理している。具体的には、遊技機のメイン抽選、各ミニリールの制御、入力スイッチ等の管理を行っている。
【００３５】
また、キャビネットボックス２内部の底面奥部には、電源基板が金属製の基板ケースに収容されて取り付けられた主電源装置ＰＷＵが備えられており、電源基板のアース回路と基板ケースとが電気的に接続され、この電源基板のアース回路又は基板ケースと各遊技展開装置（例えば、スタートレバーや停止ボタン等の操作装置、回胴リール装置２００、ホッパ装置ＨＰ、電源基板、各種制御基板など）とがアース線やアース板金等を用いて電気的に接続されている。そして、スロットマシンを遊技施設の遊技島に設置した時に、アース線の一端を基板ケースの背面側に設けられたマシン側アース端子に接続し、他端を遊技島の島側アース端子に接続することで電源基板やこれに接続された遊技展開装置が設置されるように構成されている。
【００３６】
以上説明したように、キャビネットボックス２に取り付けられた遊技展開装置及び前面扉３に取り付けられた遊技展開装置は、図示省略するワイヤーハーネス（電気配線）により相互に接続され、スロットマシンＳＭが遊技可能に構成される。遊技展開装置とは、遊技の際に使用される装置であり、例えばスタートレバー、停止ボタン、ベットボタン等を示す。
【００３７】
このように構成されたスロットマシンＳＭでは、遊技者がメダル投入口５に遊技メダルを投入し、複数あるベットボタンＢのいずれかを押下し、スタートレバー１１を操作すると、主制御基板は、このスタートレバー１１からの信号に基づいて起動指令信号を回胴リール装置２００に出力し、３つの回胴リールＲ１、Ｒ２、Ｒ３を同時に回転起動させる。ここで、各リールの回転は徐々に加速され、１分間に８０回転に達すると定速に移行する。そして、各リールが定速に移行すると、主制御基板は、遊技者による停止ボタンの操作を受け付けるように制御する。
【００３８】
遊技者は回転しているリールを任意に選択し、対応する停止ボタン１２、１３、１４を所望の順序およびタイミングで操作することができ、主制御基板はこれらの停止ボタンからの操作信号に応じて停止指令信号を回胴リール装置２００に出力し、対応する回胴リールＲ１、Ｒ２、Ｒ３の回転を制動停止させる。
【００３９】
回転していたリールＲ１、Ｒ２、Ｒ３が全て停止すると、主制御基板により入賞図柄の判定、すなわち当たりかはずれかの判定が行われる。主制御基板は停止後に各リールに表示されている図柄について、投入した遊技メダルの枚数に応じた有効ライン（上・中・下３本の水平ライン及び左・右２本の斜めライン）上での入賞図柄の判定を行う。そして、有効ライン上の図柄の組み合わせが予め設定された入賞図柄の組み合わせに該当するときには、その入賞状態に応じた払出指令信号がホッパ装置ＨＰに出力され、ホッパ装置ＨＰから所定枚数の遊技メダルが払い出される。また、このとき上部スピーカＳＲ、ＳＬ及び下部スピーカＳから入賞に応じた効果音が発生される。
【００４０】
一方、入賞図柄の判定結果、有効ライン上の図柄の組み合わせが予め設定された入賞図柄の組み合わせに該当しなかったときには、遊技メダルの払い出しは行われず、投入した遊技メダルがホッパ装置ＨＰのメダル貯留部（図示せず）に収容される。このように、スロットマシンＳＭで遊技を行う遊技者は、表示された図柄が予め定められた組み合わせに該当しなかったときには投入した遊技メダルを失うが、表示された図柄が予め定められた組み合わせに該当したときには投入した枚数以上の遊技メダルを獲得しうることとなり、遊技メダルを増やすという興趣を楽しむことができる。
【００４１】
以上のように構成され出荷されたスロットマシンＳＭは、ホール等の遊技施設に搬入されて遊技島に設置される。
【実施例１】
【００４２】
本発明の実施例であるスロットマシンの構成について図１から図４を参照して説明する。
図１に示すように、本実施例のスロットマシンＳＭは、下部パネル２１の下方に位置する受け皿７に備え付けられた灰皿２２の真上に、煙草の煙を筐体内に吸引するために、吸気手段である下部吸気口９を設けている。この下部吸気口９は、煙を吸気するための穴を複数設けたものであり、下部吸気口９の表面は、開口部からの異物の混入を防ぐために、着脱可能な蓋状の保護カバーを設けている。なお、下部吸気口９の形成場所は、図１に示す位置に限定されるものではなく、灰皿近傍であればよい。
【００４３】
また、図１に示すように、上部吸気手段である上部吸気口３０が上パネル１９に形成されている。この上部吸気口３０は、上気した煙草の煙を筐体内に吸引するためのものであり、上記下部吸気口９と同様に、煙を吸気するための穴を複数設けたものである。上部吸気口３０の表面は、開口部からの異物の混入を防ぐために、着脱可能な蓋状の保護カバーを設けている。なお、上部吸気口３０の形成場所は、図１に示す位置に限定されるものではなく、遊技機の中パネル２０より上方であればよい。
【００４４】
また、図１に示すように、下部吸気口９及び上部吸気口３０の近傍には、煙草の煙を検知するための手段である煙検知センサ３５、３６がそれぞれ設けられている。この煙検知センサ３５及び３６は、サブ制御基板１００と電気的に接続されており、煙草の煙を検知すると、検知信号をサブ制御基板１００に送信する。
【００４５】
図２に示すように、筐体内において下部吸気口９は、第１の接続手段である吸気蛇腹パイプ２３と接続されている。吸気蛇腹パイプ２３は、下部吸気口９から吸気した煙を搬送するための搬送路であり、パイプの一端はシロッコファン式カバー８に接続されている。また、吸気蛇腹パイプ２３は、ネジ等の図示しない固定部材によって下部吸気口９及びシロッコファン式カバー８に取り付けられ、取り外し可能とする。また、吸気蛇腹パイプ２３の任意の側面には、筐体内の空気を吸引するための筐体内吸気部である、吸気パイプ２９が備えられている（図３参照）。この吸気パイプ２３の開口部には開閉可能な蓋（図示せず）が設けられている。なお、本実施例では下部吸気口９とシロッコファン式カバー８を接続する手段として蛇腹パイプを用いたが、前面扉の開閉に支障がない伸縮自在のものであればこれに限られない。
【００４６】
シロッコファン式カバー８の内部には、空気（煙）取り込み手段であるシロッコファン１６が備えられている。シロッコファン１６は、その隣の回胴リール装置２００のモータ軸３１を延長した部分に接続されている。回胴リール装置２００の各リールＲ１，Ｒ２，Ｒ３及びモータ軸３１は、ステッピングモータ（図示せず）により駆動される。よって、本実施例のシロッコファン１６は、ステッピングモータの駆動によるリールＲ１の回転と連動して回転する。なお、本実施例では、シロッコファンを用いたが、これに限られず、その他のファンでもよい。
【００４７】
また、本実施例では、シロッコファン１６はリールＲ１の隣に設けたが、リールＲ３の隣に設けてもよい。その場合、シロッコファン１６はリールＲ３の回転と連動して回転する。なお、シロッコファン１６の電源は、スロットマシンＳＭの主電源装置ＰＷＵと連動するが、電源を独立させてＯＮ／ＯＦＦできるスイッチ部を設けるようにしてもよい。
【００４８】
また、図２に示すように、スロットマシンＳＭの上パネル１９に形成された上部吸気口３０は、ネジ等の図示しない固定部材によって、第３の接続手段である上部排気パイプ２５と接続されている。この上部排気パイプ２５は、上部吸気口３０の裏側に設置された、小型ファン１５（図３参照）によって取り込まれた煙を搬送するための搬送路である。小型ファン１５は、上気した煙を取り込むための第２の空気（煙）取り込み手段であり、主電源装置ＰＷＵと電気的に接続され、電源供給される。小型ファン１５を使用しない時は、主電源装置ＰＷＵに接続された配線を外す。
【００４９】
上部排気パイプ２５の側面には、穴が設けられており、この穴がパイプ接続部２７となっている。そして、上部排気パイプ２５は、このパイプ接続部２７でシロッコファン式カバー８の上部に接続された、第２の接続手段である排気パイプ２４と接続されている。ここで、上部排気パイプ２５及び排気パイプ２４は、上気吸気蛇腹パイプ２３と同様のものであり、また、蛇腹パイプに限らず、前面扉の開閉に支障がない伸縮自在のものであれば適用可能とする。
【００５０】
また、上部吸気パイプ２５の任意の側面には、筐体内の空気循環を行う際に排気を行うための筐体内排気部である、通気パイプ２６が設けられている（図３参照）。この通気パイプ２６の開口部には、開閉可能な蓋（図示せず）が設けられている。
【００５１】
上部吸気パイプ２５は、キャビネットボックス２の背板に設けられた、排気手段である通気口部２８にネジ等の固定手段によって取り付けられている。
【００５２】
通気口部２８は、図４に示すように、キャビネットボックス２の背面に形成され、ヒンジ機構３２によって開閉可動する。図４は、通気口部２８が外に出ている状態を示し、通気口部側面３３を押すことによって、通気口部２８をキャビネットボックス２内に収納することができる。また、図４に示すように、通気口部２８は、複数の通気穴が形成されたパンチング板３４を有し、この通気穴から煙が排気される。パンチング板３４は、外部からの異物、例えばパチンコ玉やメダル等が筐体内に混入するのを防止する。
【００５３】
次に、以上のように構成された本実施例のスロットマシンＳＭの動作について説明する。
図３に示すように、本実施例のスロットマシンは、遊技者１が吸っている煙草が発生する煙と、灰皿２２に置かれた煙草の煙とを吸気する構成である。
【００５４】
本実施例１では、まず、通気パイプ２６及び吸気パイプ２９にそれぞれ設けられた蓋を閉めておく。また、通気口部２８を開いた状態（キャビネットボックス２から突出した状態）にしておく。
【００５５】
灰皿２２付近の煙は、キャビネットボックス２の内部中央に設けられた、煙取り込み手段であるシロッコファン式カバー８内のシロッコファン１６の回転動作によって、下部吸気口９から吸引され、吸気蛇腹パイプ２３を介して取り込まれる。シロッコファン１６は、遊技者１の遊技操作によって、回胴リール装置２００のリールＲ１が回転する時に連動して回転する。
【００５６】
シロッコファン１６で取り込まれた煙は、排気パイプ２４及び上部排気パイプ２５を介して、キャビネットボックス２の背面に形成された、通気口部２８からスロットマシンＳＭの裏側に排気される。
【００５７】
遊技者１が吸っている煙草から発生して上気した煙は、小型ファン１５の回転動作によって、上部吸気口３０から吸引され、上部排気パイプ２５を介して、通気口２８からからスロットマシンＳＭの裏側に排気される。
【００５８】
通気口部２８から排気された煙は、遊技島の上方に排気されることによって、遊技場内に設置される空気清浄機にスムーズに吸気され、遊技場内の空気清浄効果がより一層向上する。
【００５９】
以上、遊技者が遊技を開始した場合の空気清浄動作について説明したが、遊技者が遊技を開始する前や遊技を中断している場合は、下部吸気口９及び上部吸気口３０近傍にそれぞれ設けられた煙検知センサ３５、３６によって、空気清浄動作を開始する。なお、本実施例では、煙検知センサを各吸気口近傍に設けたが、設置場所はこれに限られず、前面扉上の任意の場所に設けてもよい。また、煙検知センサの設置数についても、本実施例における数に限られない。
【００６０】
煙検知センサ３５又は３６のいずれかが煙草の煙を検知すると、サブ制御基板１００に煙検知信号が送られる。煙検知信号を受信したサブ制御基板１００は、回胴リール装置のリールＲ１を回転させる。そして、リールＲ１の回転と連動してシロッコファン１６が回転し、煙草の煙が各吸気口から吸気される。ここで、サブ制御基板は、遊技時のリールの回転と区別するために、リールＲ１の回転数を制御し、１分間に８０回転を超える速度で回転させる。これによって、遊技者は遊技時の回転と一目で区別することができる。
【００６１】
遊技者が遊技を開始した場合又は遊技を再開した場合は、サブ制御基板がベットボタンの押下やメダル投入等の遊技動作を検知し、リールと連動してシロッコファンが回転する通常の動作に切り変える制御を行う。
【００６２】
よって、本発明の実施例１によれば、遊技機の灰皿近傍及び上パネル部に吸気口を設け、かつ筐体内に吸気ファンを備えることによって、大がかりな施設改造を必要とせずに導入できるので、遊技施設の空気清浄を容易に実現でき、設備コストを抑えることができる。
【００６３】
また、本発明の実施例１によれば、筐体内に備える吸気ファンは、回胴リール装置の回転動力を利用し、リールと連動して回転するので、吸気ファンを駆動するための新たな装置を設置する必要がなく、遊技施設の空気清浄を容易に実現でき、設備コストを抑えることができ、省エネも実現できる。
【００６４】
また、本発明の実施例１によれば、筐体内に備える吸気ファンは、シロッコファンであるので、筐体から出る騒音を抑えることができ、他のファンを設けた場合に比べ、ファンの回転をスムーズにすることができる。
【００６５】
また、本発明の実施例１によれば、少なくとも１以上の煙検知センサを前面扉上に設けることにより、遊技者が遊技を開始する前や遊技を中断している場合でも、空気清浄を行うことができる。
【実施例２】
【００６６】
次に、実施例２の動作について図３を参照して説明する。上記実施例１では、煙草の煙を吸気の対象とし、吸気した煙を排気する動作を行うものであったが、本実施例では、吸気する対象を外部の空気及び筐体内の空気とし、筐体内において空気の循環を行う。
【００６７】
図３に示すように、吸気蛇腹パイプ２３には、筐体内の空気を吸引するための吸気パイプ２９が接続され、上部排気パイプ２５には、取り込んだ空気を筐体内に排気するための通気パイプ２６が設けられている。
【００６８】
本実施例では、通気口部２８は閉じた状態（キャビネットボックス２内に収納された状態）にしておく。また、通気パイプ２６及び吸気パイプ２９にそれぞれ設けられた蓋を開けておく。そして、上記実施例１と同様に、シロッコファンの回転駆動により、上部吸気口３０及び下部吸気口９から外部の空気の取り込みが行われるとともに、吸気パイプ２９から筐体内の空気も同時に取り込まれる。そして、取り込まれた空気は、排気パイプ２４及び上部排気パイプ２５を介して通気パイプ２６から排出される。
【００６９】
なお、本実施例におけるシロッコファン１６は、主電源装置ＰＷＵとの電気的配線により直接電源供給されるように構成してもよく、また、ファンの電源については、独立した電源スイッチを任意の個所に設け、ＯＮ／ＯＦＦできるようにしてもよい。
【００７０】
よって、本発明の実施例２によれば、筐体内の空気を吸引するための吸気パイプ、及び吸引した空気を筐体内に排出するための通気パイプを備えることにより、筐体内の空気の循環をスムーズに行うことができ、熱による遊技機の故障を防止することができる。
【００７１】
また、本発明の実施例２によれば、筐体内に備える吸気ファンは、回胴リール装置の回転動力を利用し、リールと連動して回転するので、吸気ファンを駆動するための新たな装置を設置する必要がなく、遊技施設の空気清浄を容易に実現でき、設備コストを抑えることができ、省エネも実現できる。
【００７２】
また、本発明の実施例２によれば、筐体内に備える吸気ファンは、シロッコファンであるので、筐体から出る騒音を抑えることができ、他のファンを設けた場合に比べ、ファンの回転をスムーズにすることができる。
【００７３】
以上、本発明の一実施例であるスロットマシンについて説明したが、本発明は、上記実施例に限定されるものではなく、その要旨を逸脱しない範囲において種々の変形が可能であり、スロットマシン以外の遊技機等にも幅広く適用できる。
【図面の簡単な説明】
【００７４】
【図１】本発明の一実施形態であるスロットマシンの前面の外観を示す正面図である。
【図２】本発明の一実施形態であるスロットマシンの内部構成を示す正面図である。
【図３】本発明の一実施形態であるスロットマシンの内部構成を示す側断面図である。
【図４】本発明の一実施形態であるスロットマシンの背面の外観を示す斜視図である。
【符号の説明】
【００７５】
１    遊技者
２    キャビネットボックス
３    前面扉
４    施錠装置
５    メダル投入口
６    メダル払出口
７    受け皿
８    シロッコファン式カバー
９    下部吸気口
１０    透過窓
１１    スタートレバー
１２，１３，１４    停止ボタン
１５    小型ファン
１６    シロッコファン
１７    ホール島取付部
１８    棚板
１９    上部パネル（上パネル）
２０    中部パネル（中パネル）
２１    下部パネル（下パネル）
２２    灰皿
２３    吸気蛇腹パイプ
２４    排気パイプ
２５    上部排気パイプ
２６    通気パイプ
２７    パイプ接続部
２８    通気口部
２９    吸気パイプ
３０    上部吸気口
３１    モータ軸
３２    ヒンジ機構
３３    通気口部側面
３４    パンチング板
３５，３６    煙検知センサ
１００    サブ制御基板
２００    回胴リール装置
ＳＭ    スロットマシン
ＳＬ，ＳＲ    上部スピーカ
Ｓ    下部スピーカ
Ｂ    ベットボタン
Ｒ１，Ｒ２，Ｒ３    リール
ＨＰ    ホッパ装置
ＰＷＵ    主電源装置
ＳＨＰ    メダル補助貯留部
【図１】
2005261541.tif 000003
【図２】
2005261541.tif 000004
【図３】
2005261541.tif 000005
【図４】
2005261541.tif 000006